(57)【要約】洗眼液を収容するフラスコ（１）であって、後に開口となる箇所から突出したクロージャ要素（２）によって密封されているフラスコ（１）を備えた洗眼器具が提供される。フラスコは、アイ・カップ（３）を含み、フラスコ・ホルダ（４）と協働するようになっている。本発明は、アイ・カップ（３）がクロージャ要素（２）の周囲に配置されており、スリーブ（５）がアイ・カップを囲んでおり、スリーブ（５）が非回転自在にクロージャ要素（２）に取り付けられていることを特徴とする。
2004511304.tif 000002
【特許請求の範囲】
【請求項１】
洗眼液を収容するフラスコ（１）であって、フラスコの、後に開口となる箇所から突出したクロージャ要素（２）によって密封されたフラスコ（１）を有する洗眼器具であって、前記フラスコが、アイ・カップ（３）を含み、且つフラスコ・ホルダ（４）と協働するようになっている洗眼器具において、
前記アイ・カップ（３）がクロージャ要素（２）を取り囲んでおり、スリーブ（５）がアイ・カップを取り囲んでおり、該スリーブ（５）が、回転不可能な態様で前記クロージャ要素（２）に取り付けられていることを特徴とする洗眼器具。
【請求項２】
前記クロージャ要素（２）が、フラスコ（１）の長手方向軸線に関して非対称であり、前記スリーブ（５）の内部部分（１２）がクロージャ要素（２）の、軸線方向に非対称の部分と係合し、前記スリーブ（５）が、クロージャ要素の上方部分（７）に、該上方部分と協働する締め付け具要素（１３）によって、取り付けられることを特徴とする請求項１に記載の洗眼器具。
【請求項３】
前記クロージャ要素（２）が、前記後の開口（９）の下に位置する腰部（８）を含み、前記アイ・カップ（３）の下方部分が、該腰部に係合することを特徴とする請求項１または請求項２に記載の洗眼器具。
【請求項４】
前記スリーブ（５）の下方部分（６）が、フラスコの周囲にあって当接していることを特徴とする請求項１から請求項３までのいずれか１項に記載の洗眼器具。
【請求項５】
前記ホルダ（４）が、互いに離間した２つの外向きの壁（１８、１９）を含み、その間に前記スリーブ（５）が締め付けられるよう意図されていることを特徴とする請求項１から請求項４までのいずれか１項に記載の洗眼器具。
【請求項６】
前記ホルダ（４）が外向きの支持部（２０）を含み、それにフラスコの底部が当接するよう意図されていることを特徴とする請求項１から請求項５までのいずれか１項に記載の洗眼器具。
【請求項７】
前記スリーブ（５）が、フラスコの長手方向軸線に平行に配置された、互いに対向する２つの溝（２１、２２）を含み、該溝（２１、２２）が、前記フラスコをホルダ内に保持するように、外向きの壁（１８、１９）のそれぞれに設けられたばね様のまたは弾性を有する突起（２３、２４）と協働するよう意図されていることを特徴とする請求項１から請求項６までのいずれか１項に記載の洗眼器具。
【請求項８】
それぞれの前記溝（２１、２２）内に肩部（２５、２６）が配置されており、前記フラスコが前記スリーブ（５）とともに前記ホルダ（４）内に配置されたときに、前記突起（２３、２４）の位置であってその上に、前記肩部が配置され、さらに、前記フラスコを捻って前記ホルダから外した後、スリーブの重心位置が突起（２３、２４）の周囲で半回転した結果として、前記スリーブ（５）が容器から落下するのに十分なだけ、前記肩部（２５、２６）が前記溝（２１、２２）の十分下に配置されていることを特徴とする請求項７に記載の洗眼器具。
【請求項９】
前記スリーブ（５）は、一の方向に、それに垂直な方向よりも狭くなっており、前記外向きの壁（１８、１９）間の距離が、該スリーブの狭い方の寸法に対応していることを特徴とする請求項５から請求項８までのいずれか１項に記載の洗眼器具。
【請求項１０】
前記ホルダ（４）が、前記フラスコ（１）の胴部表面にある凹所（２８）と協働する突起（２７）を含み、それによって前記フラスコは、突起（２７）を凹所（２８）に挿入できる位置にフラスコを回転した場合のみ、ホルダ（４）内に保持挿入することができることを特徴とする請求項１から請求項９までのいずれか１項に記載の洗眼器具。
【発明の詳細な説明】
【０００１】
本発明は洗眼器具に関するものである。
【０００２】
当技術分野では、急性の状況で、および他の状況において使用するための、洗眼液を収容するフラスコ（ｆｌａｓｋ）を含む幾つかの異なる目洗滌器具が知られている。このフラスコは、往々にしてホルダ内に配置され、必要な場合に外されるが、特定のフラスコは、ホルダから取り出した時に開放する。このようなフラスコは、フラスコから液体が流入するアイ・カップを往々にして備えている。
【０００３】
既知のフラスコは、保護バーまたは保護ストリップから垂直に吊り下がっているが、この場合、アイ・カップは不潔で汚染された空気に暴露される。フラスコは、ホルダに挿入するのとは逆の方法で、ホルダから全体を取り出すことができる。しかし、フラスコは、所期の方法でホルダから外す時に開く。
【０００４】
しかし、このようなフラスコの場合、目の洗浄に使用する場合に、汚染物質が使用者の目に入らないよう、アイ・カップとそのすぐ周辺は汚染物質がないことが望ましい。
【０００５】
また、フラスコは、ホルダから取り出すと自動的に開き、すぐに使用することができ、ホルダ内に配置されていない場合は、フラスコを単純な手の操作で開放できることが望ましい。
【０００６】
第３に、フラスコは、ホルダに戻すことが困難であることも望ましく、これは、使用者の目の洗浄に後に使用される開放フラスコの内容物が汚染する可能性があるためである。
【０００７】
フラスコは、例えば未開封のフラスコをホルダから取り出して家に持ち帰るといった盗難の興味をそそるようなものでないことも望ましい。既知の技術により構築したフラスコは、これらの願望を全て一度に満足することができない。
【０００８】
しかし、本発明は、アイ・カップが保護されたフラスコであって、ホルダから引き出すことによって容易に開放することができ、ホルダの外側ですぐに開放することができ、使用後はホルダに戻すことが困難で、盗難を誘因しないフラスコに関するものである。
【０００９】
したがって、本発明は、洗眼液を収容するフラスコであって、後に開口となるフラスコの箇所から突出したクロージャ要素によって密封されたフラスコの形態の洗眼器具に関するものであり、このフラスコはさらにアイ・カップを備え、フラスコ・ホルダと協働するようになっており、アイ・カップがクロージャ要素の周囲に配置されており、アイ・カップがスリーブに取り囲まれており、スリーブが回転不可能な状態でクロージャ要素に取り付けられていることを特徴とする。
【００１０】
次に、本発明をその例示的実施形態を参照して、また添付図面を参照して、より詳細に説明する。
【００１１】
図８は、洗眼液を収容するフラスコ１を備えた洗眼器具を示す。フラスコは、後にフラスコの開口となる箇所から突出したクロージャ要素２によって密封されている。フラスコにはアイ・カップ３が装着される。器具はフラスコ・ホルダ４を含む。
【００１２】
本発明によれば、アイ・カップ３はクロージャ要素２の周囲に配置され（図５、図６および図７参照）、クロージャ要素の周囲で回転することができるようになっている。
【００１３】
本発明によれば、器具は、アイ・カップ３を取り囲むスリーブ５も含む。スリーブ５の下部分６はフラスコの周囲においてフラスコに当接している（図７参照）。したがってアイ・カップは、例えば埃や汚れによる汚染に対して、スリーブによって保護されている。スリーブ５は、クロージャ要素２の上部分７に回転できないように固定されている。
【００１４】
本発明の好ましい一実施形態によれば、クロージャ要素２は、フラスコの長手方向軸線に対して軸線対称ではない。本発明の図示の実施形態では、クロージャ要素は２つの拡張ウィング２９、３０を含む。しかしクロージャ要素は、代わりに四角形の断面形状を有してもよい。クロージャ要素は、もちろん、スリーブおよびそれとともにクロージャ要素がフラスコに対して回転するとフラスコが開放するような、他の非対称形を有していてもよい。クロージャ要素２は、前記将来の開口９の下に位置する腰部８を含む（図１参照）。アイ・カップ３の下部分は、図５から明白なように、アイ・カップに設けられた突起１０、１１によって前記腰部に係合している。このように、アイ・カップはフラスコ１の腰部領域にしっかりスナップ留めされる。さらに、スリーブ５の内部部分が、クロージャ要素２の非対称部分７の周囲に係合する。これは、図５、図６および図７に最もよく示されており、これはスリーブの上方部分が、内側下方向に突出した中空管状部分１２であって、軸線方向に非対称なクロージャ要素の部分の周囲に係合する管状部分１２を含むことを示している。スリーブ５は、前記クロージャ要素と協働する締め付け具要素１３によって、クロージャ要素２にも取り付けられる。スリーブ５は、クロージャ要素２の上部分７に取り付けることが好ましい。
【００１５】
あるいは、スリーブは、クロージャ要素２の下方部分で把持する要素として取り付けてもよい。
【００１６】
クロージャ要素に２つの拡張ウィング２９、３０を設けることにより、前記管状部分がクロージャ要素と効果的に係合することができる。締め付け具要素１３は概ね半円形であり、２つの舌部１４、１５を含む（図４参照）。締め付け具要素の外形は、概ねスリーブの最上部分に対応している。締め付け具要素が、図４および図５の矢印１６の方向から、前記スリーブの端部分に挿入されてスリーブに当接すると、スリーブと締め付け具要素が滑らかで均一なユニットを形成する。
【００１７】
クロージャ要素２の上方部分７は、周方向に延びる凹所１７を含む。締め付け具要素をスリーブに挿入すると、舌部１４、１５が、図４、図５および図７で示すように、凹所１７に突き当たるように位置する。スリーブ５は、舌部分とともに、フラスコにしっかりと取り付けられる。
【００１８】
すなわち、フラスコ１は、フラスコにしっかりと取り付けられたアイ・カップと、フラスコの非使用時に回転不可能な状態でフラスコに固定されたスリーブとを備えている。
【００１９】
フラスコは、第１ステップでは、図１に示すユニットの形態で作成される。フラスコは、フラスコの製造中に洗眼液が充填され、次に、アイ・カップが設けられ、その後、締め付け具要素によってスリーブを取り付けて固定すると、前記フラスコは図３に示す形状を有するようになる。
【００２０】
フラスコを開放するときには、スリーブに対してフラスコを回転させ、それによって将来のフラスコの開口９となる位置でクロージャ要素が破断される。すなわち、フラスコが回転するにつれて、スリーブと、スリーブにしっかりと配置されたクロージャ要素の上方部分とが自動的に解放される。残るのは、フラスコおよびそれに取り付けられたアイ・カップである。次にアイ・カップ３を使用者の目の上に配置し、フラスコを逆さまにすると、そこから洗浄液が流れる。洗浄液は、アイ・カップの短辺にあるＶ字形通路を介して排出される。
【００２１】
本発明のフラスコは、フラスコ・ホルダと協働するようになっている。ホルダ４は、相互に隔置された外向きの２つの壁１８、１９を含み、その間にスリーブ５を留めることができる。ホルダ４は、外向きの支持部２０も含み、フラスコ１は、ホルダに配置されると、その底部がこれに載るように意図されている。
【００２２】
スリーブ５は、互いに反対を向いた２つの溝２１、２２であって、フラスコの長手方向軸線に平行に延びる溝２１、２２を含む（図６参照）。溝２１、２２は、フラスコをホルダ内に保持するように、外向きの各壁１８、１９にあるばね様突起２３、２４と協働するように意図されている。溝２１、２２にはそれぞれ、ばね様突起、つまり弾性突起と突き当たるよう意図された肩部２５、２６を設けると都合がよい。
【００２３】
これによって、図９の破線で示すように、フラスコを回転させる前に、フラスコをホルダから容易に傾斜させることができる。
【００２４】
その意図は、新しいフラスコをホルダに押し込むことができるようにすること、あるいはスリーブの旋回部分の影響下において、一方側に跳ね返らされた突起を利用して、フラスコを底部からホルダに押し込めるようにすることである。しかし、スリーブが所定の位置にある場合には、フラスコを開放しない限り、フラスコをホルダから外すことができない。
【００２５】
フラスコが所定の位置にある場合に、突起は跳ね戻されて溝に入る。フラスコをホルダの支持面上２０に配置すると、弾性突起が個々の肩部２５、２６の下側付近に配置される。
【００２６】
ばね様突起は、ばね様プラスチック材料で構成してもよい。しかし、突起は、公知の方法でばねを装填した金属シリンダを備えてもよい。
【００２７】
フラスコを捻ってホルダから外した後、肩部２５、２６が溝２１、２２の十分下に配置されていれば、重心位置が突起２３、２４の周囲で半回転した結果として、スリーブ５が床に落下する。これは、スリーブが、器具の再使用可能な部分でないことを意味する。
【００２８】
本発明の好ましい一実施形態によると、ホルダ４には突起２７（図９参照）が設けられ、これと平行なフラスコの面に配置された凹所２８と協働するように意図されている。それによって、突起が凹所と係合する位置へとフラスコを回転した場合のみ、フラスコをホルダ内に保持状態で挿入できるようになっている（図９参照）。回転の適正位置は、図５に示されるスリーブのほうが図７に示されるものより狭いという事実によって示されており、ここでは、外向きの壁１８、１９間の距離は、スリーブの狭い方の測定値に対応している。したがって、フラスコを前述した回転位置まで回転しないと、フラスコの底部を前記支持部２０上に挿入することができない。
【００２９】
支持部２０は、フラスコの対応する溝３２と協働するよう意図された隆起部分３１を含み、前記隆起によって、不適切な回転位置を有するフラスコの挿入が、少なくとも困難になる。
【００３０】
支持部２０は、フラスコのロール３５内でグリップとして機能する２つのビード３３、３４であって、それによってフラスコを横方向と長手方向の両方に固定するように機能するビード３３、３４も含む。
【００３１】
スリーブ５、およびスリーブに付随するクロージャ要素２の部分は、フラスコ上に戻すことができるけれども、フラスコに残ったクロージャ要素の前記部分に固定することはできない。スリーブをアイ・カップに取り付けることもできない。これは、スリーブが、フラスコに対して任意の選択された回転位置を有し得ることを意味する。これはまた、スリーブの狭い方の寸法が、フラスコの凹所の配置される場所に関してなんら指標を与えないことを意味する。したがって、凹所をホルダの突起と整列させることは困難である。
【００３２】
この実施形態により、開放したフラスコをホルダに戻すことが困難になる。
【００３３】
フラスコ１、アイ・カップ３およびスリーブ５は、適切なプラスチック材料で構成される。ホルダはプラスチック、木材または金属で作成することもできる。
【００３４】
本発明の器具は、前述した願望を全て満足することが明白である。
【００３５】
幾つかの実施形態を以上で説明したが、フラスコおよびホルダは、構造要素に関して当業者が変更できることは明白である。
【００３６】
したがって、特許請求の範囲内で変形がなされ得るので、本発明は、前述したその例示的実施形態に制限されるものではない。
【図面の簡単な説明】
【図１】
本発明のフラスコの側面図である。
【図２】
図１に示したフラスコの上面図である。
【図３】
スリーブを設けた場合の本発明によるフラスコの側面図である。
【図４】
図３によるフラスコの上面図である。
【図５】
図３の線Ａ−Ａで切り取った断面図である。
【図６】
図７の線Ｃ−Ｃで切り取った断面図である。
【図７】
図４の線Ｂ−Ｂで切り取った本発明によるフラスコの側面図である。
【図８】
フラスコの上部分を断面で示した、フラスコがホルダ内に挿入された状態の、本発明によるフラスコの側面図である。
【図９】
図８の左側から見た、ホルダ内にある本発明のフラスコを、２つの異なる位置で示した図である。
【図１０】
図９と同様であるが、ホルダを切り取った状態の図である。
【国際公開パンフレット】
2004511304.tif 000003
2004511304.tif 000004
2004511304.tif 000005
2004511304.tif 000006
2004511304.tif 000007
2004511304.tif 000008
2004511304.tif 000009
2004511304.tif 000010
2004511304.tif 000011
2004511304.tif 000012
2004511304.tif 000013
2004511304.tif 000014
2004511304.tif 000015
2004511304.tif 000016
2004511304.tif 000017
2004511304.tif 000018
【国際調査報告】
2004511304.tif 000019
2004511304.tif 000020